(57)【要約】【課題】  脱着可能な原稿カバーの取り付けを容易にする画像読み取り装置を提供する。【解決手段】  本発明に係る画像読み取り装置は、筐体と、原稿台を覆うための原稿カバーと、前記筐体に脱着可能に係止される支持部材と、前記支持部材を前記原稿カバーに揺動可能に連結する連結手段であって、前記原稿カバーまたは前記支持部材のいずれか一方に設けられる軸受け穴と、他方に設けられ前記軸受け穴に係合する軸部とを有する連結手段と、前記原稿カバーに対して前記支持部材を所定の角度で位置決めする位置決め手段であって、前記軸部から径方向に突出して前記軸受け穴の内周壁に摺接する突出部と、前記内周壁に設けられる凹部であって周方向の所定の位置で径方向に凹む凹部とを有する位置決め手段と、を備える。【選択図】  図１
2005106944.tif 000002
【特許請求の範囲】
【請求項１】
原稿台に載置された原稿を走査してディジタル画像を作成する画像読み取り装置であって、
筐体と、
前記原稿台を覆うための原稿カバーと、
前記筐体に脱着可能に係止される支持部材と、
前記支持部材を前記原稿カバーに揺動可能に連結する連結手段であって、前記原稿カバーまたは前記支持部材のいずれか一方に設けられる軸受け穴と、他方に設けられ前記軸受け穴に係合する軸部とを有する連結手段と、
前記原稿カバーに対して前記支持部材を所定の角度で位置決めする位置決め手段であって、前記軸部から径方向に突出して前記軸受け穴の内周壁に摺接する突出部と、前記内周壁に設けられる凹部であって周方向の所定の位置で径方向に凹む凹部とを有する位置決め手段と、
を備えることを特徴とする画像読み取り装置。
【請求項２】
前記位置決め手段は前記凹部を２つ備え、前記支持部材を前記原稿カバーに対して略水平になる角度又は略垂直になる角度で位置決めすることを特徴とする請求項１に記載の画像読み取り装置。
【発明の詳細な説明】
【技術分野】
【０００１】
本発明は、画像読み取り装置に関する。
【背景技術】
【０００２】
原稿台と、原稿台を覆う原稿カバーとを備える所謂フラットベッド型の画像読み取り装置が知られている。こうした画像読み取り装置には、支持部材を原稿カバーに揺動可能に連結し、連結した支持部材を筐体に係止することによって原稿カバーを筐体に揺動可能に且つ脱着可能に連結するものが知られている。
【発明の開示】
【発明が解決しようとする課題】
【０００３】
しかしながら、従来の画像読み取り装置によると、支持部材が原稿カバーに揺動可能に連結されているため、原稿カバーを筐体に取り付ける際に支持部材が揺動して、所謂ブラブラして原稿カバーに対する角度が定まらず、支持部材を筐体に取り付け難いという問題がある。
本発明は、かかる問題に鑑みて創作されたものであって、脱着可能な原稿カバーの取り付けを容易にする画像読み取り装置を提供することを目的とする。
【課題を解決するための手段】
【０００４】
上記目的を達成するため、本発明に係る画像読み取り装置は、原稿台に載置された原稿を走査してディジタル画像を作成する画像読み取り装置であって、筐体と、前記原稿台を覆うための原稿カバーと、前記筐体に脱着可能に係止される支持部材と、前記支持部材を前記原稿カバーに揺動可能に連結する連結手段であって、前記原稿カバーまたは前記支持部材のいずれか一方に設けられる軸受け穴と、他方に設けられ前記軸受け穴に係合する軸部とを有する連結手段と、前記原稿カバーに対して前記支持部材を所定の角度で位置決めする位置決め手段であって、前記軸部から径方向に突出して前記軸受け穴の内周壁に摺接する突出部と、前記内周壁に設けられる凹部であって周方向の所定の位置で径方向に凹む凹部とを有する位置決め手段と、を備えることを特徴とする。この画像読み取り装置によると、原稿カバーに対して支持部材を所定の角度で位置決めできるので、原稿カバーの取り付けが容易になる
【０００５】
さらに本発明に係る画像読み取り装置では、前記位置決め手段は前記凹部を２つ備え、前記支持部材を前記原稿カバーに対して略水平になる角度又は略垂直になる角度で位置決めすることを特徴とする。この画像読み取り装置によると、略水平になる角度又は略垂直になる角度のどちらでも位置決めできるため、ユーザは取り付け易い角度を選択できる。従って原稿カバーの取り付けが更に容易になる。
【発明を実施するための最良の形態】
【０００６】
以下、本発明を実施するための最良の形態を実施例に基づいて説明する。本実施例ではプリンタとスキャナとが一体化された所謂複合機を例に説明する。
図２は、本発明の一実施例に係る画像読み取り装置としての複合機１を示す模式図である。複合機１の筐体１２は画像を読み取るスキャナ部２を収容するスキャナユニット１２ａと画像を印刷するプリンタ部３を収容するプリンタユニット１２ｂとで構成されており、スキャナユニット１２ａはプリンタユニット１２ｂに図示しないヒンジにより揺動自在に連結されている。
【０００７】
原稿カバー６０は、支持部材７０により原稿台６１の盤面を開放する姿勢から原稿台６１の盤面を覆う姿勢に揺動可能にスキャナユニット１２ａに連結されている。原稿カバー６０は原稿台６１の盤面に載置された原稿Ｍを押さえるとともに、光源３３（図３参照）の放射光以外の光が原稿を照らすことがないよう原稿台６１を覆うものである。図２に示す方向Ｘは原稿カバー６０の開方向を示している。
【０００８】
図３は複合機１の構成を示す模式図であり、図４は複合機１を示すブロック図である。
スキャナ部２は、リニアイメージセンサ３０、縮小光学系３２、第一主走査駆動部３６（図４参照）、第一副走査駆動部３７（図４参照）、ＡＦＥ（Analog Front End）部４１（図４参照）及びディジタル画像処理部４２（図４参照）などを備え、スキャナユニット１２ａに収容されている。
【０００９】
リニアイメージセンサ３０は、ＲＧＢ各色の受光素子が図３において紙面垂直方向に直線状に並ぶ姿勢でキャリッジ３１に搭載されている。リニアイメージセンサ３０は、縮小光学系３２により入力される走査線上の光学像を走査し、その光学像の濃淡に相関する電気信号を出力する。
縮小光学系３２は、光源３３、ミラー３４及びレンズ３５などで構成され、キャリッジ３１に搭載されている。光源３３は蛍光管ランプ等の管照明装置から構成されており、ミラー３４及びレンズ３５は光源３３に照射された原稿Ｍの走査線上の反射光像をリニアイメージセンサ３０に結像させる。これにより原稿Ｍの主走査線上の光学像をリニアイメージセンサ３０に入力する。尚、光源の位置を変えることにより透過原稿を読み取るようにしてもよい。
【００１０】
第一主走査駆動部３６は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
第一副走査駆動部３７は、走査線の長手方向軸に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００１１】
ＡＦＥ部４１は、アナログ信号処理部、Ａ／Ｄ変換器等から構成される。アナログ信号処理部はリニアイメージセンサ３０から出力される電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００１２】
ディジタル画像処理部４２は、ＡＦＥ部４１から出力された出力信号に対し、ガンマ補正、画素補間法による欠陥画素の補間、シェーディング補正、画像信号の鮮鋭化等の処理を行ってディジタル画像を作成する。尚、ディジタル画像処理部４２で施す上記各種の処理は、制御部５６で実行するコンピュータプログラムによる処理に置き換えてもよい。
【００１３】
プリンタ部３は、記録ヘッド４３、ヘッド駆動部４８（図４参照）、第二主走査駆動部４９（図４参照）及び第二副走査駆動部５４（図４参照）などを備え、プリンタユニット１２ｂに収容されている。
記録ヘッド４３はキャリッジ４４に設けられ、インクを吐出するノズル４５、ピエゾ素子４６、インク通路４７、図示しないインクカートリッジなどを備える。ピエゾ素子４６はインクを導くインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。これにより記録ヘッド４３は印刷媒体に画像を印刷する。
【００１４】
ヘッド駆動部４８は、制御部５６から出力された印刷信号に基づいて駆動電圧をピエゾ素子４６に印加する回路である。
第二主走査駆動部４９は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１（主走査方向軸）の軸方向（主走査方向Ｘ）に往復移動する。
【００１５】
第二副走査駆動部５４は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図３において紙面に垂直な方向（副走査方向）に印刷用紙が移動する。
【００１６】
制御部５６は、ＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８はＣＰＵ５７に各部を制御する処理を実行させるプログラム、各種のデータなどを記憶しているメモリであり、ＲＡＭ５９はプログラム、各種のデータなどを一時的に記憶するメモリである。制御部５６はスキャナ部２としてもプリンタ部３としても機能する。
【００１７】
図５（Ａ）は支持部材７０の側面図であり、図５（Ｂ）は支持部材７０の斜視図である。支持部材７０は、スキャナユニット１２ａに係止される本体７１、アーム部７２ａ、アーム部７２ｂ、軸受け穴７３ａ、軸受け穴７３ｂ、及び張り出し部７４を有する。以降の説明においてアーム部７２というときはアーム部７２ａ及びアーム部７２ｂの両方を指すものとする。軸受け穴及び後述する凹部についても同様である。本体７１は略板状に形成され、スキャナユニット１２ａに設けられている係止穴に嵌挿されることによってスキャナユニット１２ａに係止される。詳しくは後述する。アーム部７２は弾性変形可能であり、支持部材７０は原稿カバー６０から所定以上の力が作用するとアーム部７２が弾性変形して原稿カバー６０から外れる。詳しくは後述する。張り出し部７４はアーム部７２ａとアーム部７２ｂとの間に設けられており、張り出し部７４とアーム部７２との間にはアーム部７２が弾性変形するために必要な空間が確保されている。張り出し部７４はアーム部７２が過剰に弾性変形したときアーム部７２に当接してそれ以上の弾性変形を規制する。軸受け穴７３ａはアーム部７２ａの先端側に形成されており、軸受け穴７３ｂはアーム部７２ｂの先端側に形成されている。図５（Ａ）に示すように軸受け穴７３ａの内周壁には周方向の所定の位置で径方向に凹む凹部７６ａ及び凹部７６ｂが設けられている。凹部７６ａ及び凹部７６ｂは周方向に概ね９０度離間して設けられている。凹部は軸受け穴７３ａにのみ設けられており、軸受け穴７３ｂには設けられていない。
【００１８】
図６は、原稿カバー６０の背面を示す斜視図である。図７（Ａ）は図６に示す連結部８０の一方を拡大して示す斜視図であり、図７（Ｂ）は図７（Ａ）に示す連結部８０を別角度から示す斜視図である。図６に示すように原稿カバー６０には連結部８０が２つ設けられている。図７（Ａ）及び図７（Ｂ）に示すように連結部８０は軸部８１ａ及び軸部８１ｂを備えている。以降の説明において軸部８１というときは軸部８１ａ及び軸部８１ｂの両方を指すものとする。軸部８１ａは軸受け穴７３ａに係合し、軸部８１ｂは軸受け穴７３ｂに係合し、それにより支持部材７０を原稿カバー６０に揺動可能に連結する。軸部８１は略円柱状に形成されており、他方の軸部側を向く面と外周面とで形成される角部が面取りされてテーパー面８２が形成されている。軸部８１ａは図示するように径方向に突出する突出部８３を備えている。軸部８１ａの中心から突出部８３の先端までの距離は軸受け穴７３ａの中心から内周壁の凹部７６ａや凹部７６ｂ以外の壁面までの距離より長く、従って軸部８１ａが軸受け穴７３ａに係合して原稿カバー６０と支持部材７０とが相対的に揺動するとき突出部８３は軸受け穴７３ａの内周壁に摺接する。
【００１９】
図８（Ａ）は２つの支持部材７０が連結されている原稿カバー６０の背面を示す斜視図であり、図８（Ｂ）は原稿カバー６０をスキャナユニット１２ａに取り付ける様子を示す斜視図である。図８（Ｂ）に示すように原稿カバー６０は２つの支持部材７０をスキャナユニット１２ａに設けられている２つの係止穴９１にそれぞれ嵌挿することによってスキャナユニット１２ａに係止される。
【００２０】
図９（Ａ）は閉じた状態の原稿カバー６０を示す斜視図であり、図９（Ｂ）は開いた状態の原稿カバー６０を示す斜視図である。スキャナユニット１２ａが支持部材７０を係止すると、図示するように原稿カバー６０がスキャナユニット１２ａに対して揺動可能になる。
図１０（Ａ）及び図１０（Ｂ）は原稿カバー６０の連結部８０の周辺を拡大して示す斜視図である。図１０（Ａ）に示すように原稿カバー６０には２つの斜面８４が形成されている。図示するように２つの斜面８４は他方の斜面８４とは傾き方が逆になるよう形成されている。斜面８４はアーム部７２ａ及びアーム部７２ｂをそれぞれ他方のアーム部側に弾性変形させるために設けられている。原稿カバー６０を開方向に所定角度まで揺動すると２つの斜面８４はそれぞれアーム部７２の支点部７５に当接し、それより更に開方向に揺動すると斜面８４が支点部７５を押圧してアーム部７２ａ及びアーム部７２ｂを互いに向き合う方向に弾性変形させる。その結果、軸受け穴７３が軸部８１から外れる。従って支持部材７０または原稿カバー６０の破損を防止できる。前述したように軸部８１にテーパー面８２を形成するとアーム部７２を弾性変形させたとき軸受け穴７３が軸部８１からよりスムーズに外れるようになり、従って支持部材７０または原稿カバー６０の破損をより確実に防止できる。
【００２１】
次に、支持部材７０を所定の角度で位置決めする作動について説明する。
図１（Ａ）、図１（Ｂ）及び図１（Ｃ）は、連結部８０の周辺を示す模式図である。支持部材７０が原稿カバー６０に対して略水平な角度になると突出部８３が凹部７６ｂに係合して図１（Ａ）に示す状態となり、略垂直な角度になると凹部７６ａに係合して図１（Ｃ）に示す状態となる。これらの状態のときに支持部材７０から手を離しても支持部材７０は重力によって揺動することなく原稿カバー６０に対する相対的な角度を維持する。すなわち原稿カバー６０に対して位置決めされた状態となる。図１（Ｂ）は突出部８３が軸受け穴７３ａの内周壁に摺接している状態でありどちらの凹部にも係合していない状態を示している。この状態のとき支持部材７０は原稿カバー６０に対して位置決めされておらず、突出部８３が内周壁に当接してはいるものの支持部材７０から手を離すと重力によっていずれかの方向に揺動してしまう。
【００２２】
以上説明した本発明の一実施例に係る複合機１によると、支持部材７０が原稿カバー６０に対して位置決めされるため原稿カバー６０に対する支持部材７０の角度が変化せず、原稿カバー６０をスキャナユニット１２ａに取り付ける作業が容易になる。例えば図１（Ｃ）に示すように略垂直な角度に位置決めした場合、その状態で原稿カバー６０を下に下ろすことで図８（Ｂ）に示すように支持部材７０を係止穴９１に嵌挿できる。このとき支持部材７０は位置決めされているためブラブラせずに角度が定まり、従ってユーザは原稿カバー６０をスキャナユニット１２ａに容易に取り付けることができる。
【００２３】
また、支持部材７０は図１（Ａ）に示す略水平になる角度、または図１（Ｃ）に示す略垂直になる角度のどちらでも位置決めできるため、ユーザは取り付け易い角度を選択できる。従って原稿カバー６０の取り付けが更に容易になる。また、選択できる角度が略水平又は略垂直であると、取り付ける際のユーザの立ち位置や体勢によって支持部材７０が原稿カバー６０やスキャナユニット１２ａの陰に隠れて見えない場合であっても原稿カバー６０の角度から支持部材７０の角度を推測し易いため、取り付けが容易になる。
【００２４】
尚、本実施例では軸部８１ａにのみ突出部８３を設け軸部８１ｂには設けていないが、軸部８１ｂにも突出部を設けるようにしてもよい。その場合は軸受け穴７３ｂにも凹部を設けるようにする。
また、本実施例では支持部材７０に軸受け穴７３を設け原稿カバー６０に軸部８１を設けたが、支持部材７０に軸部８１を設け原稿カバー６０に軸受け穴７３を設けてもよい。
【００２５】
また、本実施例では凹部を２つ設けているが、凹部は１つだけであってもよいし、３つ以上設けてもよい。
また、本実施例では複合機を例に説明したが、イメージスキャナ等の画像読み取り装置に本発明を適用してもよい。
【図面の簡単な説明】
【００２６】
【図１】（Ａ）、（Ｂ）及び（Ｃ）は本発明の一実施例に係る軸受け穴と軸部とを示す模式図である。
【図２】本発明の一実施例に係る画像読み取り装置の模式図。
【図３】本発明の一実施例に係る画像読み取り装置の模式図。
【図４】本発明の一実施例に係る画像読み取り装置のブロック図。
【図５】（Ａ）は本発明の一実施例に係る支持部材の側面図、（Ｂ）は斜視図。
【図６】本発明の一実施例に係る原稿カバーの背面の斜視図。
【図７】（Ａ）及び（Ｂ）は本発明の一実施例に係る連結手段の一部を示す斜視図。
【図８】（Ａ）は本発明の一実施例に係る原稿カバーの斜視図、（Ｂ）は原稿カバーの取り付けを示す斜視図。
【図９】（Ａ）及び（Ｂ）は本発明の一実施例に係る原稿カバーの斜視図。
【図１０】（Ａ）及び（Ｂ）は本発明の一実施例に係る支持部材と原稿カバーの一部とを示す模式図。
【符号の説明】
【００２７】
１  複合機（画像読み取り装置）、１２  筐体、６０  原稿カバー、６１  原稿台、７０  支持部材、７３  軸受け穴（連結手段）、７６  凹部（位置決め手段）、８１  軸部（連結手段）、８３  突出部（位置決め手段）
【図１】
2005106944.tif 000003
【図２】
2005106944.tif 000004
【図３】
2005106944.tif 000005
【図４】
2005106944.tif 000006
【図５】
2005106944.tif 000007
【図６】
2005106944.tif 000008
【図７】
2005106944.tif 000009
【図８】
2005106944.tif 000010
【図９】
2005106944.tif 000011
【図１０】
2005106944.tif 000012